(57)【要約】【課題】一時的利用者の管理を容易にする一時利用管理方法およびシステムを提供する。【解決手段】無線基地局（ｆＢＳ１〜ｆＢＳｎ）の通信エリア内に位置する複数の移動局（Ａ，Ｂ）を管理するシステムであって、通信エリア内で通信可能な加入者移動局として少なくとも１つの移動局（Ａ）を登録した加入者情報格納手段（１０１）と、少なくとも１つの加入者移動局に一時利用者登録権を取り消し可能に付与し、一時利用者登録権を有する加入者移動局Ａを通して、任意の未登録移動局Ｂを通信エリアの一時利用者として加入者情報格納手段（１０１）に削除可能に登録する管理手段（１１１，１１２，１１３，１１４）と、を有する。【選択図】図２
2010147741.tif 000002
【特許請求の範囲】
【請求項１】
少なくとも１つの無線基地局の通信エリア内に位置する複数の移動局を管理するシステムにおいて、
前記通信エリア内で通信可能な加入者移動局として少なくとも１つの移動局を登録した加入者情報格納手段と、
少なくとも１つの加入者移動局に一時利用者登録権を取り消し可能に付与し、前記一時利用者登録権を有する加入者移動局を通して、任意の未登録移動局を前記通信エリアの一時利用者として前記加入者情報格納手段に削除可能に登録する管理手段と、
を有することを特徴とする一時利用管理システム。
【請求項２】
前記加入者情報格納手段に登録された移動局には、一時利用者登録権を有するか否かを示す第１情報と、一時利用者であるか否かを示す第２情報と、が付加されていることを特徴とする請求項１に記載の一時利用管理システム。
【請求項３】
前記通信エリアに未登録移動局が入ってきたときに、前記管理手段は前記一時利用者登録権を有する加入者移動局を通した一時利用者登録処理を起動することを特徴とする請求項１または２に記載の一時利用管理システム。
【請求項４】
前記一時利用者登録権を有する加入者移動局の加入者により、前記通信エリアに入ってきた未登録移動局を一時利用者として登録するか否かが選択されることを特徴とする請求項３に記載の一時利用管理システム。
【請求項５】
一時利用者として登録された移動局が前記通信エリアから出たときに、前記管理手段は当該一時登録された移動局を前記加入者情報格納手段から削除する一時利用者削除処理を起動することを特徴とする請求項１−４のいずれか１項に記載の一時利用管理システム。
【請求項６】
少なくとも１つの無線基地局の通信エリア内に位置する複数の移動局を管理する方法において、
加入者情報格納手段に前記通信エリア内で通信可能な加入者移動局として登録された少なくとも１つの移動局に対して一時利用者登録権を取り消し可能に付与し、
任意の未登録移動局が前記通信エリアに入ってきたときに、前記一時利用者登録権を有する加入者移動局を通して、前記未登録移動局を前記通信エリアの一時利用者として前記加入者情報格納手段に削除可能に登録する、
ことを特徴とする一時利用管理方法。
【請求項７】
前記加入者情報格納手段に登録された移動局には、一時利用者登録権を有するか否かを示す第１情報と、一時利用者であるか否かを示す第２情報と、が付加されていることを特徴とする請求項６に記載の一時利用管理方法。
【請求項８】
前記通信エリアに未登録移動局が入ってきたときに、前記一時利用者登録権を有する加入者移動局を通した一時利用者登録処理を起動することを特徴とする請求項６または７に記載の一時利用管理方法。
【請求項９】
前記一時利用者登録権を有する加入者移動局を通して、前記通信エリアに入ってきた未登録移動局を一時利用者として登録するか否かが選択されることを特徴とする請求項８に記載の一時利用管理方法。
【請求項１０】
一時利用者として登録された移動局が前記通信エリアから出たときに、当該一時登録された移動局を前記加入者情報格納手段から削除する一時利用者削除処理を起動することを特徴とする請求項６−９のいずれか１項に記載の一時利用管理方法。
【請求項１１】
少なくとも１つの無線基地局の通信エリア内に位置する複数の移動局を管理するシステムにおける管理サーバであって、
前記通信エリア内で通信可能な加入者移動局として少なくとも１つの移動局を登録した加入者情報格納手段を操作する制御手段と、
少なくとも１つの加入者移動局に一時利用者登録権を取り消し可能に付与する登録権認証手段と、
任意の未登録移動局を前記通信エリアの一時利用者として前記加入者情報格納手段に削除可能に登録する一時利用者認証手段と、
を有することを特徴とする管理サーバ。
【請求項１２】
一時利用者として登録された移動局が前記通信エリアから出たときに前記加入者情報格納手段から削除する在圏確認手段をさらに有することを特徴とする請求項１１に記載の管理サーバ。
【請求項１３】
前記加入者情報格納手段に登録された移動局には、一時利用者登録権を有するか否かを示す第１情報と、一時利用者であるか否かを示す第２情報と、が付加されていることを特徴とする請求項１１または１２に記載の管理サーバ。
【請求項１４】
前記通信エリアに未登録移動局が入ってきたときに、前記一時利用者認証手段は前記一時利用者登録権を有する加入者移動局を通した一時利用者登録処理を起動することを特徴とする請求項１１−１３のいずれか１項に記載の管理サーバ。
【請求項１５】
前記一時利用者登録権を有する加入者移動局の加入者により、前記通信エリアに入ってきた未登録移動局を一時利用者として登録するか否かが選択されることを特徴とする請求項１４に記載の管理サーバ。
【請求項１６】
少なくとも１つの無線基地局の通信エリア内に位置する複数の移動局を管理するシステムとしてプログラム制御プロセッサを機能させるプログラムにおいて、
加入者情報格納手段に前記通信エリア内で通信可能な加入者移動局として登録された少なくとも１つの移動局に対して一時利用者登録権を取り消し可能に付与し、
任意の未登録移動局が前記通信エリアに入ってきたときに、前記一時利用者登録権を有する加入者移動局を通して、前記未登録移動局を前記通信エリアの一時利用者として前記加入者情報格納手段に削除可能に登録する、
ように前記プログラム制御プロセッサを機能させることを特徴とするプログラム。
【請求項１７】
前記加入者情報格納手段に登録された移動局には、一時利用者登録権を有するか否かを示す第１情報と、一時利用者であるか否かを示す第２情報と、が付加されていることを特徴とする請求項１６に記載のプログラム。
【請求項１８】
前記通信エリアに未登録移動局が入ってきたときに、前記一時利用者登録権を有する加入者移動局を通した一時利用者登録処理を起動することを特徴とする請求項１６または１７に記載のプログラム。
【請求項１９】
前記一時利用者登録権を有する加入者移動局を通して、前記通信エリアに入ってきた未登録移動局を一時利用者として登録するか否かが選択されることを特徴とする請求項１８に記載のプログラム。
【請求項２０】
一時利用者として登録された移動局が前記通信エリアから出たときに、当該一時登録された移動局を前記加入者情報格納手段から削除する一時利用者削除処理を起動することを特徴とする請求項１６−１９のいずれか１項に記載のプログラム。
【発明の詳細な説明】
【技術分野】
【０００１】
本発明は移動通信システムに係り、特に少なくとも１つの無線基地局の通信エリア内に位置する複数の移動局を管理する方法およびシステムに関する。
【背景技術】
【０００２】
近年、ユーザの自宅などの特定場所に、出力が小さく通話エリアが狭い超小型無線基地局を設置し、ブロードバンド回線を通して携帯電話サービスを利用可能にするシステムが種々提案されている。
【０００３】
たとえば、特許文献１には、超小型無線基地局（Ｈｏｍｅ−ＢＴＳ）に予めユーザの携帯電話番号を登録しておき、当該ユーザが発信した場合には、格安の課金計算方法が適用される通信料課金システムが開示されている。また、特許文献２には、ユーザ認識ＩＤ登録テーブルを設けることでＩＤの一致／不一致により使用者制限を行う無線基地局装置が開示されている。
【０００４】
【特許文献１】国際公開第ＷＯ２００５／０８８９５３号パンフレット
【特許文献２】特開２００８−１６７４９７号公報
【発明の開示】
【発明が解決しようとする課題】
【０００５】
上述したように、これまで提案されたセルシステムでは、加入者自身が加入者リストにて利用者の登録や削除などを行うことが可能である。
【０００６】
しかしながら、一時的に無線基地局に接続してサービスを受ける利用者（訪問者）などに対しては、同様のサービスを受けるための登録手順が提供されていないために、非常に煩雑な手続が必要であった。
【０００７】
また、一時利用が終わった後に、リストから一時的な利用者を削除することを忘れると、いつまでも登録状態にあり、利用料金上のトラブルを招いたり、セルの同時利用者制限数により本来の加入者の利用が阻害されたりする可能性がある。
【０００８】
本発明の目的は、一時的利用者の管理を容易にする一時利用管理方法およびシステムを提供することにある。
【課題を解決するための手段】
【０００９】
本発明による一時利用管理システムは、少なくとも１つの無線基地局の通信エリア内に位置する複数の移動局を管理するシステムであって、前記通信エリア内で通信可能な加入者移動局として少なくとも１つの移動局を登録した加入者情報格納手段と、少なくとも１つの加入者移動局に一時利用者登録権を取り消し可能に付与し、前記一時利用者登録権を有する加入者移動局を通して、任意の未登録移動局を前記通信エリアの一時利用者として前記加入者情報格納手段に削除可能に登録する管理手段と、を有することを特徴とする。
【００１０】
本発明による一時利用管理システムは、少なくとも１つの無線基地局の通信エリア内に位置する複数の移動局を管理する方法であって、加入者情報格納手段に前記通信エリア内で通信可能な加入者移動局として登録された少なくとも１つの移動局に対して一時利用者登録権を取り消し可能に付与し、任意の未登録移動局が前記通信エリアに入ってきたときに、前記一時利用者登録権を有する加入者移動局を通して、前記未登録移動局を前記通信エリアの一時利用者として前記加入者情報格納手段に削除可能に登録する、ことを特徴とする。
【発明の効果】
【００１１】
本発明により、通信エリアの一時的利用者に対する管理が容易になる。
【発明を実施するための最良の形態】
【００１２】
本発明の一実施形態による超小型無線基地局セルシステムは、加入者リストに簡易登録権フラグおよび一時利用フラグを設け、既存加入者に簡易登録権を持たせることにより、訪問者の位置登録要求に対して一時利用者としての簡易登録を可能にする。また、一時利用者は、当該セル圏内に入り位置登録要求を行うことで簡易登録シーケンスを発動させ、当該セル圏外に出ることにより一時利用者としての登録が自動的に削除される。以下、より詳細に説明する。
【００１３】
１．システム構成
図１は本発明の一実施形態による一時利用管理システムの概略的な構成図である。複数の超小型無線基地局ｆＢＳ１〜ｆＢＳｎの各々は、ブロードバンドインターネット１０を通して超小型無線基地局セルシステム用のゲートウェイ１１に接続される。本実施形態における超小型無線基地局ｆＢＳは、通信エリアが比較的狭く（たとえば数十メートル程度）低出力の無線基地局であり、家庭あるいはオフィス等の室内のような小スペースに設置され、その室内に引かれたブロードバンド回線に接続されているものとする。超小型無線基地局ｆＢＳは、機能的には既存の無線基地局ＢＳと同様であるが、より少ない数の移動局と通信可能である。
【００１４】
図１では、移動局Ａが超小型無線基地局ｆＢＳ１の加入者であり、そこに非加入の移動局Ｂが訪問者として接続する場合を例示している。訪問者の移動局Ｂは、機能的には移動局Ａと同様であり既存の携帯電話システムの加入者電話番号等を有しているが、当該超小型無線基地局ｆＢＳ１の正当な加入者として接続することはできないものとする。
【００１５】
ゲートウェイ１１は、ネットワーク１２を通して、超小型無線基地局管理システム１３および加入者リスト操作サーバ１４に接続し、さらに、既存の携帯電話システムの各装置、すなわち、ホーム位置レジスタ１５、ＣＳコアネットワークの移動通信交換機、ＰＳコアネットワークのＧＰＲＳ(General Packet Radio Service)サポートノード、ＩＭＳ(IP Multimedia Subsystem)コアネットワークの呼状態制御機能等に接続して通信を行う。また、既存の携帯電話システムの無線基地局ＢＳは無線ネットワーク制御装置（ＲＮＣ）１６に接続され、無線ネットワーク制御装置１６はネットワーク１２に接続されている。超小型無線基地局ｆＢＳおよびゲートウェイ１１は、呼処理に関しては既存の無線基地局ＢＳおよび無線ネットワーク制御装置１５とそれぞれ同様の動作を行い、コアネットワークの上記各装置と通信する。
【００１６】
超小型無線基地局管理システム１３は、超小型無線基地局ｆＢＳの加入者リストデータベース等の情報データベースを有し、超小型無線基地局ｆＢＳの各々の維持管理を行う。加入者リスト操作サーバ１４は、後述するように、超小型無線基地局管理システム１３内の加入者リストデータベースの操作を行う。
【００１７】
図２は、図１に示す超小型無線基地局セルシステムにおける超小型無線基地局管理システムおよび加入者リスト操作サーバの構成を示すブロック図である。
【００１８】
超小型無線基地局管理システム１３には、加入者リストデータベース１０１、管理制御部１０２および通信部１０３が設けられ、通信部１０３およびネットワーク１２を通して加入者リスト操作サーバ１４やゲートウェイ１１との間で通信可能である。管理制御部１０２は、後述するように、加入者リスト操作サーバ１４からの指令に応じて加入者リストデータベース１０１の加入者リストの検索、加入者あるいは一時利用者エントリの追加や削除などを行う。このような管理制御部１０２は、プログラム制御プロセッサ上でプログラムを実行することにより実現することもできる。
【００１９】
加入者リスト操作サーバ１４には、簡易登録権認証部１１１、一時利用認証部１１２、一時利用者在圏確認部１１３、サーバ制御部１１４および通信部１１５が設けられている。簡易登録権認証部１１１は、加入者リストデータベース１０１上で加入者に簡易登録権を付与し、訪問者の一時利用を可能にする。一時利用者認証部１１２は、権限のある加入者による一時登録指示に応じて加入者リストデータベース１０１への一時登録を実行する。一時利用者在圏確認部１１３は、訪問者が他の無線基地局へ移動するなどして在圏しなくなったことを確認すると、当該訪問者の一時登録を加入者リストデータベース１０１から自動的に削除する。これら簡易登録権認証部１１１、一時利用認証部１１２および一時利用者在圏確認部１１３はサーバ制御部１１４により制御される。したがって、加入者リスト操作サーバ１４の簡易登録権認証部１１１、一時利用認証部１１２、一時利用者在圏確認部１１３およびサーバ制御部１１４は、超小型無線基地局管理システム１３の加入者リストデータベース１０１の管理制御手段として機能する。
【００２０】
なお、簡易登録権認証部１１１、一時利用認証部１１２、一時利用者在圏確認部１１３およびサーバ制御部１１４は、ＣＰＵ等のプログラム制御プロセッサ上でプログラムを実行することにより実現することもできる。また、超小型無線基地局管理システム１３および加入者リスト操作サーバ１４は、同等の機能を管理サーバとして１つにまとめることも可能である。この場合、管理サーバの制御部は管理制御部１０２およびサーバ制御部１１４を併せたものと同等の機能を有する。
【００２１】
図３は図２に示す加入者リストデータベースの構成例を示す模式図である。加入者リストデータベース１０１は、超小型無線基地局ｆＢＳ１〜ｆＢＳｎの各々において接続を認められた加入者あるいは訪問者の情報を検索可能に登録しており、少なくとも無線基地局ＩＤ、加入者識別子、加入者電話番号、加入者メールアドレス、簡易登録権フラグおよび一時利用フラグの各フィールドを有する。ただし、加入者識別子は加入者には公表されずに電話事業者が加入者の管理や呼処理に使用する識別子である。加入者が加入者リストを扱う時には、加入者識別子の代わりに加入者電話番号を用いる。
【００２２】
無線基地局ＩＤは加入者あるいは訪問者の移動局が接続している無線基地局の識別番号である。簡易登録権フラグがセット（ＯＮ）されていれば、当該加入者に当該無線基地局における簡易登録権が付与されていることを示す。一時利用フラグがセット（ＯＮ）されていれば、当該非加入者に対して一時登録（一時利用）が許可されていることを示す。図３に示す例では、加入者電話番号「aaaaaaaaaaa」の加入者に簡易登録権が付与され、加入者電話番号「bbbbbbbbbbb」の訪問者に一時利用が許可されている。
【００２３】
以下、超小型無線基地局管理システム１３および加入者リスト操作サーバ１４の動作を詳細に説明する。
【００２４】
２．一時利用者の管理
図４は本実施形態による一時利用管理方法を全体的に説明するためのシーケンス図である。ここでは、加入者移動局Ａが超小型無線基地局ｆＢＳについて加入者リストデータベース１０１に登録されており、訪問者移動局Ｂが未登録であるとする。
【００２５】
まず、移動局Ａの加入者は、超小型無線基地局ｆＤＢでの簡易登録権要求メッセージを既存の無線基地局ＢＳまたは当該超小型無線基地局ｆＤＢを通して加入者リスト操作サーバ１４へ送信する（ステップＳ２０１）。加入者リスト操作サーバ１４は、当該加入者が認証されると、当該加入者に簡易登録権を付与する指示を超小型無線基地局管理システム１３へ送信する（ステップＳ２０２）。これにより、超小型無線基地局管理システム１３は加入者リストデータベース１０１における当該加入者の簡易登録権フラグをセット（ＯＮ）する。
【００２６】
簡易登録権が移動局Ａの加入者に付与された後、訪問者の移動局Ｂが当該超小型無線基地局ｆＤＢのセルに入って来て位置登録要求を行ったとする（ステップＳ２０３）。位置登録要求を受信した超小型無線基地局ｆＢＳは、移動局Ｂの訪問者を超小型無線基地局管理システム１３へ問い合わせる（ステップＳ２０４）。超小型無線基地局管理システム１３は加入者リストデータベース１０１を検索して当該訪問者に該当する加入者が登録されているか否かを判定し、未登録であれば、簡易登録権を有する加入者へ当該訪問者の登録の可否を問い合わせるために、簡易登録要求を加入者リスト操作サーバ１４へ送信する（ステップＳ２０５）。
【００２７】
加入者リスト操作サーバ１４は、簡易登録要求の情報に基づいて、当該訪問者の登録の可否を問い合わせるための簡易登録用ＵＲＬ(Uniform Resource Locator)を構成し、簡易登録権を有する加入者へ送付する（ステップＳ２０６）。簡易登録権を有する加入者が移動局Ａの表示部に表示された簡易登録用ＵＲＬを選択すると、当該訪問者の一時登録を指示するメッセージが加入者リスト操作サーバ１４へ送信される（ステップＳ２０７）。
【００２８】
加入者リスト操作サーバ１４は、当該訪問者の一時登録指示を受信すると、超小型無線基地局管理システム１３に対して、加入者リストデータベース１０１に当該訪問者を一時登録するように指示する（ステップＳ２０８）。この一時登録指示を受けて、超小型無線基地局管理システム１３は、加入者リストデータベース１０１に当該訪問者の情報を登録すると共に、その一時利用フラグをセット（ＯＮ）する。当該訪問者が一時利用者として加入者リストデータベース１０１に登録されると、超小型無線基地局管理システム１３は超小型無線基地局ｆＢＳに対して加入者が当該訪問者の利用を許可したことを通知する（ステップＳ２０９）。なお、上述したステップＳ２０４の問い合わせに対して当該訪問者に該当する加入者が加入者リストデータベース１０１に登録されていれば、上記ステップＳ２０５−Ｓ２０８は実行されず、利用許可通知が超小型無線基地局ｆＢＳへ送信される（ステップＳ２０９）。
【００２９】
超小型無線基地局ｆＢＳは、当該訪問者の利用許可を受けて、訪問者移動局Ｂからの位置登録要求（ステップＳ２０３）に対する位置登録処理を実行する（ステップＳ２１０）。こうして移動局Ｂの位置登録が完了すると、移動局Ｂへ位置登録完了を通知し（ステップＳ２１１）、当該訪問者は超小型無線基地局ｆＢＳを通して通信を行うことができる。
【００３０】
簡易登録権を有する加入者は、簡易登録権の放棄を希望する場合には、簡易登録権の放棄要求を加入者リスト操作サーバ１４へ送信する（ステップＳ２１２）。これに応じて、加入者リスト操作サーバ１４は当該加入者の簡易登録権を削除する指令を加入者リスト操作サーバ１４へ送信し（ステップＳ２１３）、加入者リスト操作サーバ１４における当該加入者の簡易登録権フラグがリセット（ＯＦＦ）される。これ以後は、新たな訪問者が当該超小型無線基地局ｆＢＳに位置登録要求を行っても一時登録されずに自動的に拒絶される。たとえ当該加入者が簡易登録権の削除を失念したとしても、新たな訪問者が位置登録要求を行えば、上述したようにステップＳ２０６で一時登録の可否を問い合わせてくるので、訪問者が勝手に登録されることはない。
【００３１】
また、一時登録された訪問者の移動局Ｂは常時位置確認が行われており、当該超小型無線基地局ｆＢＳのセルから他のセルへ移動したことが確認されると、加入者リストデータベース１０１から自動的に削除される（ステップＳ２１４）。したがって、簡易登録権を有する加入者が当該訪問者を削除しなかったとしても、当該訪問者が当該セルから離れることで自動的に削除され、不要に登録され続けることはない。
【００３２】
以上、簡易登録権の付与および訪問者の一時登録に関する処理を概観したが、以下、各処理についてより詳細に説明する。
【００３３】
２．１）簡易登録権の付与
図５は本実施形態における加入者リスト操作サーバの簡易登録権認証動作を説明するためのフローチャートである。加入者リスト操作サーバ１４のサーバ制御部１１４は、移動局Ａからネットワーク１２を通して簡易登録権要求を受信し簡易登録権認証部１１１へ渡す（ステップＳ３０１）。簡易登録権要求は、超小型無線基地局ｆＢＳの無線基地局ＩＤ、加入者電話番号および加入者リストへのアクセスパスワードを含む。
【００３４】
簡易登録権認証部１１１は、当該加入者が加入する事業者ネットワーク上にて加入者電話番号から対応する加入者識別子を検索し（ステップＳ３０２）、取得された加入者識別子および無線基地局ＩＤから加入者リストデータベース上の該当する加入者リストを特定し（ステップＳ３０３）、アクセスパスワードにより当該加入者の当該加入者リストへのアクセスを認証する（ステップＳ３０４）。こうして加入者が認証されると、簡易登録権認証部１１１は、当該加入者の簡易登録権フラグをＯＮにする指令を超小型無線基地局管理システム１３へ送信する（ステップＳ３０５）。これにより、超小型無線基地局管理システム１３は加入者リストデータベース１０１における当該加入者の簡易登録権フラグをセット（ＯＮ）する。
【００３５】
２．２）一時利用者の認証
図６（Ａ）は本実施形態における超小型無線基地局管理システムの管理制御を説明するためのフローチャート、図６（Ｂ）は本実施形態における加入者リスト操作サーバの一時利用者認証を説明するためのフローチャートである。
【００３６】
ここでは、移動局Ｂが超小型無線基地局ｆＢＳのセルに入って位置登録要求を行ったものとする。この位置登録要求には当該無線基地局ＩＤ、移動局Ｂの加入者識別子などの情報が含まれている。超小型無線基地局ｆＢＳは。位置登録要求に含まれる移動局Ｂの情報について問合せメッセージを超小型無線基地局管理システム１３へ送信する。
【００３７】
図６（Ａ）に示すように、超小型無線基地局ｆＢＳから当該移動局Ｂに関する問合せを受信すると（ステップＳ４０１）、超小型無線基地局管理システム１３の管理制御部１０２は、問合せに含まれる無線基地局ＩＤおよび加入者情報を用いて加入者リストデータベース１０１を検索し、当該移動局Ｂの加入者情報が登録されているか否かを判断する（ステップＳ４０２）。移動局Ｂの加入者情報が登録されていなければ（ステップＳ４０２：Ｎｏ）、加入者リストデータベース１０１を同じ無線基地局ＩＤ内で簡易登録権フラグがＯＮとなっている加入者が存在するか否かを判定する（ステップＳ４０３）。簡易登録権フラグがＯＮになっている加入者がいない場合は（ステップＳ４０３：Ｎｏ）、処理を終了して既存の処理に戻る。すなわち移動局Ｂの位置登録要求は無視される。
【００３８】
同じ無線基地局ＩＤ内で簡易登録権フラグがＯＮになっている加入者が見つかれば（ステップＳ４０３：Ｙｅｓ）、管理制御部１０２は、簡易登録権を有する加入者の情報、無線基地局ＩＤおよび移動局Ｂの加入者情報を含む簡易登録権要求メッセージを加入者リスト操作サーバ１４へ送信する（ステップＳ４０４）。
【００３９】
なお、加入者リストデータベース１０１に移動局Ｂの加入者情報が登録されていれば（ステップＳ４０２：Ｙｅｓ）、そのまま当該移動局Ｂの位置登録処理を続行するように超小型無線基地局ｆＢＳへ指示する（ステップＳ４０５）。
【００４０】
続いて、図６（Ｂ）に示すように、加入者リスト操作サーバ１４のサーバ制御部１１４が超小型無線基地局管理システム１３から簡易登録権要求を受信すると（ステップＳ４０６）、一時利用者認証部１１２は無線基地局ＩＤおよび移動局Ｂの加入者情報から訪問者を簡易登録するためのＵＲＬ構文を編集し（ステップＳ４０７）、このＵＲＬ構文を簡易登録権を有する加入者宛のメッセージ（ショートメッセージもしくはｅメールなど）により送信する（ステップＳ４０８）。
【００４１】
簡易登録用のＵＲＬ構文を含むメッセージを送信すると、一時利用者認証部１１２は、当該メッセージに対する応答の受信を待機する（ステップＳ４０９）。移動局Ａは加入者リスト操作サーバ１４から簡易登録用ＵＲＬ構文を含むメッセージを受信すると、表示部に簡易登録用ＵＲＬを表示して加入者の判断を仰ぐ。移動局Ａの加入者が簡易登録用ＵＲＬを選択すると、当該訪問者の一時登録を指示するメッセージが加入者リスト操作サーバ１４へ送信される。
【００４２】
一時利用者認証部１１２は、所定の経過時間内に当該加入者から一時登録指示を受信しなかった場合には（ステップＳ４０９：Ｎｏ）、処理を終了して既存の処理に戻り、移動局Ｂの位置登録要求は無視される。所定の経過時間内に当該加入者から一時登録指示を受信すると（ステップＳ４０９：Ｙｅｓ）、一時利用者認証部１１２は、当該一時登録指示に含まれる、加入者により入力された加入者リストアクセスパスワードをチェックし当該加入者を認証する（ステップＳ４１０）。当該加入者が認証されると、一時利用者認証部１１２は一時登録指令を超小型無線基地局管理システム１３へ送信する（ステップＳ４１１）。この一時登録指令は、簡易登録要求（ステップＳ４０６）に対する応答であり、当該訪問者および加入者を特定する情報が含まれる。
【００４３】
図７は本実施形態における超小型無線基地局管理システムにおける訪問者の一時登録管理制御を説明するためのフローチャートである。
【００４４】
加入者リスト操作サーバ１４から訪問者の一時登録指示を受信すると（ステップＳ５０１）、超小型無線基地局管理システム１３の管理制御部１０２は、一時登録指示に含まれる無線基地局ＩＤおよび認証された加入者情報を用いて加入者リストデータベース１０１を検索し、当該認証された加入者の簡易登録権がセット（ＯＮ）されているか否か、すなわち当該加入者が簡易登録権を有するか否かをチェックする（ステップＳ５０２）。
【００４５】
当該認証された加入者の簡易登録権がセット（ＯＮ）されていなければ（ステップＳ５０２：Ｎｏ）、処理を終了して既存の処理に戻り、移動局Ｂの位置登録要求は無視される。当該認証された加入者の簡易登録権がセット（ＯＮ）されていれば（ステップＳ５０２：Ｙｅｓ）、管理制御部１０２は、一時登録指示の無線基地局ＩＤから該当する加入者リストを特定し、当該移動局Ｂの加入者情報を一時利用フラグをセット（ＯＮ）して加入者リストデータベース１０１に追加登録する（ステップＳ５０３）。そして、超小型無線基地局ｆＢＳへ当該移動局Ｂの登録完了を通知する（ステップＳ５０４）。
【００４６】
こうして移動局Ｂの位置登録要求に対して、超小型無線基地局セルシステムゲートウェイ１１とホーム位置レジスタ１５とにより位置登録処理が実行され、移動局Ｂは超小型無線基地局ｆＢＳに対して一時利用可能となる。
【００４７】
上述したように、簡易登録権を加入者に付与することで、簡単な手順で一時利用者の登録を行うことが可能となる。
【００４８】
２．３）簡易登録権の削除
図８は本実施形態における加入者リスト操作サーバの簡易登録権削除を説明するためのフローチャートである。加入者リスト操作サーバ１４のサーバ制御部１１４は、移動局Ａからネットワーク１２を通して簡易登録権の削除（ＯＦＦ）要求を受信し簡易登録権認証部１１１へ渡す（ステップＳ６０１）。簡易登録権ＯＦＦ要求は、超小型無線基地局ｆＢＳの無線基地局ＩＤ、加入者電話番号および加入者リストへのアクセスパスワードを含む。
【００４９】
簡易登録権認証部１１１は、当該加入者が加入する事業者ネットワーク上にて加入者電話番号から対応する加入者識別子を検索し（ステップＳ６０２）、取得された加入者識別子および無線基地局ＩＤから加入者リストデータベース上の該当する加入者リストを特定し（ステップＳ６０３）、アクセスパスワードにより当該加入者の当該加入者リストへのアクセスを認証する（ステップＳ６０４）。こうして加入者が認証されると、簡易登録権認証部１１１は、当該加入者の簡易登録権フラグをＯＦＦにする指令を超小型無線基地局管理システム１３へ送信する（ステップＳ６０５）。これにより、超小型無線基地局管理システム１３は加入者リストデータベース１０１における当該加入者の簡易登録権フラグをリセット（ＯＦＦ）する。
【００５０】
これ以後は当該超小型無線基地局ｆＢＳに関して簡易登録権を有する加入者が存在しなくなるので、新たな訪問者が当該超小型無線基地局ｆＢＳに位置登録要求を行っても一時登録されずに自動的に拒絶される。
【００５１】
２．４）一時利用者の自動削除
図９は本実施形態による一時利用管理方法における一時利用者削除を説明するためのシーケンス図である。ここでは、訪問者移動局Ｂが一時利用者として加入者リストデータベース１０１に登録されているものとする。
【００５２】
一時登録された訪問者の移動局Ｂに関しては、加入者リスト操作サーバ１４が移動局Ｂの登録基地局ＩＤを超小型無線基地局管理システム１３から取得し（ステップＳ７０１）、さらにホーム位置レジスタ１５から現在接続している基地局ＩＤを取得する（ステップＳ７０２）。そして両者の一致しない場合には、移動局Ｂが超小型無線基地局ｆＢＳのセルから他のセルへ移動したと判断し、加入者リストデータベース１０１から登録を削除する指令を超小型無線基地局管理システム１３へ送信する（ステップＳ７０３）。
【００５３】
図１０は本実施形態における加入者リスト操作サーバの一時利用者在圏確認および削除を説明するためのフローチャートである。加入者リスト操作サーバ１４の一時利用者在圏確認部１１３は、一時利用フラグがセット（ＯＮ）されている移動局を超小型無線基地局管理システム１３へ問い合わせ、当該一時登録された移動局の登録無線基地局ＩＤを取得する（ステップＳ８０１）。続いて、一時利用者在圏確認部１１３は、一時登録された移動局が現在位置する無線基地局をホーム位置レジスタ１５へ問い合わせ、在圏無線基地局ＩＤを取得する（ステップＳ８０２）。
【００５４】
一時利用者在圏確認部１１３は、登録無線基地局ＩＤと在圏無線基地局ＩＤとが一致するか否かを判定し（ステップＳ８０３）、一致しないときには当該移動局の情報を加入者リストデータベース１０１から削除する指示を超小型無線基地局管理システム１３へ送信する（ステップＳ８０４）。登録無線基地局ＩＤと在圏無線基地局ＩＤとが一致する時には（ステップＳ８０３：Ｙｅｓ）、当該移動局の情報を加入者リストデータベース１０１にそのまま保持して当該処理を終了する。
【００５５】
このように訪問者が登録されたセルから出ることで自動的に加入者登録が削除されるので、一時的な利用者の削除を忘れることによる利用料金上のトラブルや本来の加入者の利用阻害を防止することができる。
【００５６】
３．効果
以上説明したように、本実施形態によれば、以下に記載するような効果を得ることができる。
【００５７】
まず、訪問者の移動局が超小型基地局セルに入って来るだけで、当該移動局の一時登録処理を起動することができ、加入者による訪問者の電話番号入力など煩雑な操作を行うことなく加入者リスト上で訪問者を登録することができる。また、実際に来なかった訪問者の情報が無駄に登録されることもない。
【００５８】
また、訪問者の移動局が超小型基地局セルから出て行くだけで、当該移動局の一時登録の削除処理を起動することができ、加入者による訪問者情報の削除など煩雑な操作を行うことなく加入者リスト上で訪問者を削除することができる。したがって、訪問終了後の訪問者の不要な利用を防止できることができる。
【００５９】
また、簡易登録権を有する加入者が簡易登録権フラグをＯＮ／ＯＦＦすることができる利点もある。たとえば訪問を受ける度数が頻繁であったり、超小型無線基地局のセル範囲が想定以上に大きく訪問者以外の移動局の位置登録要求が頻繁に発生したりする場合に、簡易登録フラグをＯＦＦにしておくことで、不必要に簡易登録処理が起動されないようにすることも可能である。
【産業上の利用可能性】
【００６０】
本発明は、携帯電話ネットワーク事業における超小型無線基地局を利用した通信サービスシステムに適用可能である。
【図面の簡単な説明】
【００６１】
【図１】本発明の一実施形態による一時利用管理システムの概略的な構成図である。
【図２】図１に示す超小型無線基地局セルシステムにおける超小型無線基地局管理システムおよび加入者リスト操作サーバの構成を示すブロック図である。
【図３】図２に示す加入者リストデータベースの構成例を示す模式図である。
【図４】本実施形態による一時利用管理方法を全体的に説明するためのシーケンス図である。
【図５】本実施形態における加入者リスト操作サーバの簡易登録権認証動作を説明するためのフローチャートである。
【図６】（Ａ）は本実施形態における超小型無線基地局管理システムの管理制御を説明するためのフローチャート、（Ｂ）は本実施形態における加入者リスト操作サーバの一時利用者認証を説明するためのフローチャートである。
【図７】本実施形態における超小型無線基地局管理システムにおける訪問者の一時登録管理制御を説明するためのフローチャートである。
【図８】本実施形態における加入者リスト操作サーバの簡易登録権削除を説明するためのフローチャートである。
【図９】本実施形態による一時利用管理方法における一時利用者削除を説明するためのシーケンス図である。
【図１０】本実施形態における加入者リスト操作サーバの一時利用者在圏確認および削除を説明するためのフローチャートである。
【符号の説明】
【００６２】
１０  ブロードバンドインターネット
１１  超小型無線基地局セルシステムゲートウェイ
１２  ネットワーク
１３  超小型無線基地局管理システム
１４  加入者リスト操作サーバ
１５  ホーム位置レジスタ
１６  無線ネットワーク制御装置
１０１  加入者リストデータベース
１０２  管理制御部
１０３  通信部
１１１  簡易登録権認証部
１１２  一時利用者認証部
１１３  一時利用者在圏確認部
１１４  サーバ制御部
１１５  通信部
【図１】
2010147741.tif 000003
【図２】
2010147741.tif 000004
【図３】
2010147741.tif 000005
【図４】
2010147741.tif 000006
【図５】
2010147741.tif 000007
【図６】
2010147741.tif 000008
【図７】
2010147741.tif 000009
【図８】
2010147741.tif 000010
【図９】
2010147741.tif 000011
【図１０】
2010147741.tif 000012